(57)【要約】      （修正有）【課題】無線伝送または有線伝送を選択して音楽を聞くことができる、複合イヤホンを提供する。【解決手段】複合イヤホンは、イヤホンアセンブリ１と、伝送線アセンブリ２とを含む。イヤホンアセンブリ１は、スピーカモジュールと、無線信号伝送モジュールと、適合装置１３と、バッテリーモジュールとを含み、スピーカモジュールおよび無線信号伝送モジュールの両方は、バッテリーモジュールに電気的に接続されている。伝送線アセンブリ２は、信号出力部２１と、配線部２２と、信号入力部２３とを含む。信号出力部は、イヤホンアセンブリの適合装置に対応し、かつ、配線部は、信号出力部および信号入力部に接続されている。こうして、イヤホンのユーザーは、無線信号伝送モジュールを介してオーディオ信号の無線伝送方式を用いて音楽を聞くか、あるいは、伝送線アセンブリを介してオーディオ信号の有線伝送を行う方式を用いて音楽を聞くことができる。【選択図】図１
0003213242.tif 000002
【実用新案登録請求の範囲】
【請求項１】
スピーカモジュールと、無線信号伝送モジュールと、適合装置と、バッテリーモジュールとを含む少なくとも一つのイヤホンアセンブリであって、前記スピーカモジュールおよび前記無線信号伝送モジュールの両方は、前記バッテリーモジュールに電気的に接続されている、前記少なくとも一つのイヤホンアセンブリと、
少なくとも一つの信号出力部と、配線部と、信号入力部とを含む伝送線アセンブリであって、前記少なくとも一つの信号出力部は、前記少なくとも一つのイヤホンアセンブリの前記適合装置に対応し、かつ、前記配線部は、前記少なくとも一つの信号出力部および前記信号入力部に接続されている、前記伝送線アセンブリと
を具備する複合イヤホン。
【請求項２】
前記適合装置は、前記無線信号伝送モジュールに接続されたコントロールスイッチを含む
請求項１に記載の複合イヤホン。
【請求項３】
前記適合装置と前記信号出力部とが非接続状態である場合、前記コントロールスイッチは、前記無線信号伝送モジュールの信号をＯＮにする
請求項２に記載の複合イヤホン。
【請求項４】
前記適合装置と前記信号出力部とが接続状態である場合、前記コントロールスイッチは、前記無線信号伝送モジュールの信号を遮断する
請求項２に記載の複合イヤホン。
【請求項５】
前記少なくとも一つのイヤホンアセンブリは、収納ボックス内に配置され、前記収納ボックスは、前記少なくとも一つのイヤホンアセンブリを受容する少なくとも一つの第１受容スロットを含む
請求項１に記載の複合イヤホン。
【請求項６】
前記収納ボックスは、前記伝送線アセンブリを受容する第２受容スロットを更に具備する
請求項５に記載の複合イヤホン。
【請求項７】
前記少なくとも一つのイヤホンアセンブリは、前記バッテリーモジュールに電気的に接続された少なくとも一つの充電孔を更に具備し、
前記収納ボックスは、
少なくとも一つの電力出力部と、
電源ポートと、
回路基板と
を更に具備し、
前記少なくとも一つの充電孔は、前記少なくとも一つの電力出力部に対応し、
前記少なくとも一つの電力出力部は、前記少なくとも一つの第１受容スロット内に配置され、
前記回路基板は、前記少なくとも一つの電力出力部および前記電源ポートに電気的に接続されている
請求項５に記載の複合イヤホン。
【請求項８】
前記収納ボックスは、前記収納ボックスにスリーブ状に被さる保護ケースを更に具備する
請求項５に記載の複合イヤホン。
【請求項９】
前記無線信号伝送モジュールは、ブルートゥース伝送装置に関連する
請求項１に記載の複合イヤホン。
【請求項１０】
前記適合装置は、超小型同軸（ＭＭＣＸ）コネクタに関連する
請求項１に記載の複合イヤホン。
【考案の詳細な説明】
【技術分野】
【０００１】
本考案は、複合イヤホンに関し、特に、リスニング方式を改良するための適合装置を用いる複合イヤホンに関する。
【背景技術】
【０００２】
音楽を聞くとき、イヤホンまたはオーディオ等のサウンド再生デバイスが採用される。携帯性における利便性のために、イヤホンは、スマートフォンや小型音楽プレーヤーにしばしば接続され、一般消費者によって広く使用されている。
イヤホンの使用に際し、イヤホンコードがユーザーの首の周りに絡まると、常に使用の利便性が減退する。今日では、技術発展の助けをかりて、イヤホンは、音の伝送において、従来のコード接続方式を排除することができる。すなわち、音の伝送のために代替的に無線伝送が使用され、これにより、イヤホンにイヤホンコードが使用されないため、ユーザーは、使い勝手の面で悪影響を受けない。このことは、音楽鑑賞の楽しみを促進する。
しかし、ワイヤレスイヤホンは、より多くの電力を消費するという事実を勘案すると、イヤホンの通常使用であっても、頻繁な充電が必要になる。ワイヤレスイヤホンの利便性は、もはやイヤホンコードの悪影響を受けないものの、ワイヤレスイヤホンを使用する際の使用可能時間は減少する。
上記を受けて、多大な努力がなされ、継続的な研究および実験をとおして、遂に、適合装置を含むイヤホン要素を有する本考案の「複合イヤホン」が完成され、本考案により、ワイヤレスイヤホンを使用する際の利便性が改善され、ユーザーは、無線伝送または有線伝送を選択して音楽を聞くことができる。
【考案の概要】
【考案が解決しようとする課題】
【０００３】
本考案の目的は、上記のような問題を解決するため、そして、イヤホンでの音楽鑑賞方式を改善する目的を達成するために、複合イヤホンを提供することである。
【課題を解決するための手段】
【０００４】
上記目的を達成するために、本考案における複合イヤホンは、少なくとも一つのイヤホンアセンブリと、伝送線アセンブリとを備える。前記少なくとも一つのイヤホンアセンブリは、スピーカモジュールと、無線信号伝送モジュールと、適合装置と、バッテリーモジュールとを含み、前記スピーカモジュールおよび無線信号伝送モジュールの両方は、前記バッテリーモジュールと電気的に接続されている。前記伝送線アセンブリは、少なくとも一つの信号出力部と、配線部と、信号入力部とを含む。少なくとも一つの信号出力部は、前記少なくとも一つのイヤホンアセンブリの前記適合装置に対応し、前記配線部は、前記少なくとも一つの信号出力部と前記信号入力部とに接続されている。
本考案によれば、前記適合装置は、前記無線信号伝送モジュールに接続されたコントロールスイッチを含む。前記適合装置と前記信号出力部とが非接続の状態の場合、前記コントロールスイッチは、前記無線信号伝送モジュールの信号をオンにし、前記適合装置と前記信号出力部とが接続の状態の場合、前記コントロールスイッチは、前記無線信号伝送モジュールの信号を遮断し、こうして、イヤホンのユーザーは、オーディオ信号の無線伝送方式によって音楽を聞くか、あるいは、オーディオ信号の有線伝送方式によって音楽を聞くことができる。
さらに、本考案によれば、前記少なくとも一つのイヤホンアセンブリは、収納ボックス内に配置され、前記収納ボックスは、対応する前記少なくとも一つのイヤホンアセンブリを受容するための少なくとも一つの第１受容スロットを含む。
更に、本考案によれば、前記収納ボックスは、前記伝送線アセンブリを受容するための第２受容スロットを更に含んでいてもよい。
本考案によれば、前記少なくとも一つのイヤホンアセンブリは、前記バッテリーモジュールに電気的に接続された少なくとも一つの充電孔を更に含む。前記収納ボックスは、少なくとも一つの電力出力部と、電源ポートと、回路基板とを更に含んでいてもよい。前記少なくとも一つの充電孔は、前記少なくとも一つの電力出力部に対応していてもよく、そして、前記少なくとも一つの電力出力部は、前記少なくとも一つの第１受容スロット内に配置されていてもよい。前記回路基板は、前記少なくとも一つの電力出力部および前記電源ポートに電気的に接続されていてもよい。これにより、前記少なくとも一つのイヤホンアセンブリの内部の前記バッテリーモジュールを充電することが可能である。
さらに、本考案によれば、前記収納ボックスは、前記少なくとも一つのイヤホンアセンブリおよび前記伝送線アセンブリを保護するために、保護ケースを更に含んでいてもよく、当該保護ケースは、前記収納ボックスにスリーブ状に被せられる。
さらに、本考案によれば、無線信号伝送モジュールは、ブルートゥース（登録商標）伝送装置に関連していてもよい。
本考案によれば、適合装置は、超小型の同軸（ＭＭＣＸ）コネクタに関連していてもよい。
本考案の他の目的、利点および新規な特徴は、添付の図面と併せて以下の詳細な説明からより明らかになるであろう。
【図面の簡単な説明】
【０００５】
【図１】図１は、本考案における複合イヤホンを示す斜視図である。
【図２】図２は、本考案における複合イヤホンおよび収納ボックスを示す斜視図である。
【図３】図３は、本考案における複合イヤホンおよび収納ボックスを示す別の斜視図である。
【図４】図４は、本考案における複合イヤホンおよび収納ボックスを示す更に別の斜視図である。
【図５】図５は、本考案における複合イヤホンおよび収納ボックスの構成を詳細に示す機能ブロック図である。
【考案を実施するための形態】
【０００６】
図１は、本考案における複合イヤホンを示す斜視図であり、図２は、本考案における複合イヤホンおよび収納ボックスを示す斜視図であり、図３は、本考案における複合イヤホンおよび収納ボックスを示す別の斜視図であり、図４は、本考案における複合イヤホンおよび収納ボックスを示す更に別の斜視図であり、図５は、本考案における複合イヤホンおよび収納ボックスの構成を詳細に示す機能ブロック図である。
【０００７】
本考案によれば、複合イヤホンは、２つのイヤホンアセンブリ１と、伝送線アセンブリ２とを含む。イヤホンアセンブリ１の各々は、スピーカモジュール１１と、無線信号伝送モジュール１２と、適合装置１３と、バッテリーモジュール１４と、２つの充電孔１５とを含む。伝送線アセンブリ２は、２つの信号出力部２１と、配線部２２と、信号入力部２３とを含む。
【０００８】
更に、本考案によれば、イヤホンアセンブリ１において、スピーカモジュール１１、無線信号伝送モジュール１２、および、充電孔１５は、全てバッテリーモジュール１４に電気的に接続されている。伝送線アセンブリ２の２つの信号出力部２１の各々は、それぞれ、イヤホンアセンブリ１の適合装置１３に対応する。配線部２２は、２つの信号出力部２１と、信号入力部２３とに接続されている。
【０００９】
イヤホンアセンブリ１の適合装置１３は、コントロールスイッチ１３１を含み、当該コントロールスイッチ１３１は、適合装置１３と信号出力部２１との間の接続状態を判定することができるように、無線信号伝送モジュール１２に接続されている。
適合装置１３と信号出力部２１とが非接続状態である場合、コントロールスイッチ１３１は、無線信号伝送モジュール１２の信号をＯＮにし、この場合、オーディオ信号は、無線信号伝送モジュール１２からスピーカモジュール１１に伝送される。他方、適合装置１３と信号出力部２１とが接続状態である場合、コントロールスイッチ１３１は、無線信号伝送モジュール１２の信号を遮断し、この場合、オーディオ信号は、伝送線アセンブリ２からスピーカモジュール１１に伝送される。本考案によれば、適合装置１３は、超小型の同軸（ＭＭＣＸ）コネクタに関連していてもよいが、それに限定されない。すなわち、コントロールスイッチ１３１の適合装置として、同様の機能を有する任意の適合装置を採用可能である。
【００１０】
本考案によれば、イヤホンのユーザーは、イヤホンアセンブリ１のバッテリーモジュール１４の充電状態に応じて、イヤホンアセンブリ１の使用方式を変えることができる。バッテリーモジュール１４が十分な電力を有する場合、イヤホンのユーザーは、イヤホンアセンブリ１の無線信号伝送モジュール１２を使用してオーディオ信号の伝送を実行し、スピーカモジュール１１を介して音楽を聞くことができる。他方、バッテリーモジュール１４が十分な電力を有していない場合、イヤホンのユーザーは、イヤホンアセンブリ１の適合装置１３を使用して伝送線アセンブリ２の信号出力部２１を接続して、オーディオ信号の有線方式での伝送を実行し、スピーカモジュール１１を介して音楽を聞くことができる。このことは、バッテリーモジュール１４の電力が消費された場合に、イヤホンアセンブリ１を用いて音楽を聞くことができないという問題を解決する。
【００１１】
更に、本考案によれば、無線信号伝送モジュール１２は、ブルートゥース伝送装置に関連していてもよいが、それに限定されない。すなわち、赤外線伝送装置、Ｗｉ−Ｆｉ無線伝送装置、あるいは、同様の機能を有する装置が採用されてもよい。加えて、本考案によれば、２つのイヤホンアセンブリ１が例示されているという事実に関わらず、一つの耳のために使用される単一のイヤホンアセンブリ１を有する構造的デザインも採用され得ることが明らかである。
【００１２】
更に、本考案によれば、複合イヤホンの２つのイヤホンアセンブリ１および伝送線アセンブリ２は、収納ボックス３に配置され得る。収納ボックス３は、２つの第１受容スロット３１と、第２受容スロット３２と、４つの電力出力部３３と、電源ポート３４と、回路基板３５と、保護ケース３６とを備える。
【００１３】
本考案によれば、２つの第１受容スロット３１は、２つのイヤホンアセンブリ１に対応し、それぞれが同じものを受容するように設けられている。他方、第２受容スロット３２は、伝送線アセンブリ２を受容するように設けられている。第１受容スロット３１の各々には、イヤホンアセンブリ１の２つの充電孔１５に対応する２つの電力出力部３３が設けられている。回路基板３５は、電力出力部３３の各々および電源ポート３４に、電気的に接続されている。保護ケース３６は、収納ボックス３にスリーブ状に被せることができる。
【００１４】
更に、本考案によれば、収納ボックス３は、２つのイヤホンアセンブリ１を受容するように機能するだけでなく、イヤホンアセンブリ１のバッテリーモジュール１４を充電することもできる。イヤホンアセンブリ１の充電孔１５と収納ボックス３の電力出力部３３とが電気的に接続されると、外部電源からの電力が電源ポート３４および回路基板３５を介して送電され、電力出力部３３からバッテリーモジュール１４に送電され、バッテリーモジュール１４の充電の目的が達せられる。このことにより、バッテリーモジュール１４には、スピーカモジュール１１および無線信号伝送モジュール１２を駆動するのに十分な電力が供給される。
【００１５】
更に、イヤホンアセンブリ１の充電孔１５の数、および、収納ボックス３の電力出力部３３の数は、２個に限定されない。換言すれば、充電孔１５の数および電力出力部３３の数は、充電孔１５および電力出力部３３がそれぞれ対応して接続され、バッテリーモジュール１４を充電することができる限りにおいて、実際のニーズに応じて変更可能である。
【００１６】
上述のとおり、本考案における複合イヤホンでは、イヤホンアセンブリ１がイヤホンのユーザーの要求を満足できるように、オーディオを伝送する方式を変えるために適合装置１３の設計を利用する。すなわち、イヤホンアセンブリ１のバッテリーモジュール１４が十分な電力を有している場合、音楽を聞くために、イヤホンアセンブリ１の無線信号伝送モジュール１２を使用することができる。他方、バッテリーモジュール１４の電力が消費された場合には、イヤホンアセンブリ１の適合装置１３が信号出力部２１に接続され、信号入力部２３が、スマートフォンまたは音楽再生装置に接続される。このように、イヤホンの使用の利便性が改善され、すなわち、コントロールスイッチ１３１を介して、オーディオ信号を有線伝送に切り替えることができ、音楽を聞くことができる。
【００１７】
本考案が、その好ましい実施形態との関連で説明されたが、実用新案登録請求の範囲に示される本考案の範囲を逸脱しない範囲において、様々な修正および変更がされ得ることが理解されるべきである。
【図１】
0003213242.tif 000003
【図２】
0003213242.tif 000004
【図３】
0003213242.tif 000005
【図４】
0003213242.tif 000006
【図５】
0003213242.tif 000007